(57)【要約】【課題】  コンセントに接続したプラグ本体の一部をコンセントに当て、てこの利用により、一方の手でプラグ本体の離脱を容易に行うことができる差込プラグを提供する。【解決手段】電源コード１４を導出する外装体２内に、前記電源コードに接続した一対の差込刃７、７と、前記差込刃７、７間の中心を軸として回動自在に設けた回転摺動装置８とを備え、前記外装体の一部をコンセント９に当ててプラグ本体１を回転し、その際の、てこの利用に伴い回転摺動装置により差込刃を回動させながらプラグ本体の差込刃の離脱を行なうものである。【選択図】  図２
2011100636.tif 000002
【特許請求の範囲】
【請求項１】
電源コードを導出する外装体内に、前記電源コードに接続した一対の差込刃と、前記差込刃間の中心を軸として回動自在に設けた回転摺動装置とを備え、前記外装体を回転し、てこの利用によって差込刃の着脱を行なうことを特徴とする差込プラグ。
【請求項２】
前記回転摺動装置は、前記差込刃の回転角度を１８０度に設定したことを特徴とする請求項１に記載の差込プラグ。
【請求項３】
前記外装体は電源コードを導出する把持部と該把持部よりも大径の押当部を一体形成した絶縁性材料から構成し、前記回転摺動装置は押当部内に回動自在に軸支して設けられ、前記差込刃をコンセントに接続するものであって、前記押当部の平面形状を前記把持部よりも長寸の矩形形状に設定したことを特徴とする請求項１に記載の差込プラグ。
【請求項４】
前記押当部は、前記差込刃の回動時における一対の差込刃の全体を収納する格納室を備えたことを特徴とする請求項３に記載の差込プラグ。
【請求項５】
前記押当部は、その長手方向の少なくとも一側に開口部を設けたことを特徴とする請求項３に記載の差込プラグ。
【請求項６】
前記押当部は、長方形の矩形形状とし、少なくともその短辺側の下端縁のエッジを円滑面としたことを特徴とする請求項３に記載の差込プラグ。
【発明の詳細な説明】
【技術分野】
【０００１】
本発明は、一般家庭用の壁に埋設されたコンセントやテーブルタップのコンセントに差し込んで接続する差込プラグに関する。
【背景技術】
【０００２】
一般に家庭用として使用される差込プラグは、一端を電気器具等に連結した電源コードの他端に設けたもの、一端にコンセントを連結した電源コードの他端に設けたものが知られている。そして、この差込プラグは、一般家庭用の壁に埋設されたコンセントやテーブルタップのコンセントに差し込んで電気器具等に交流電源を印加し、あるいはテーブルタップのコンセントに交流電源を供給する。
【０００３】
また、この差込プラグとコンセントとの連結（接続）は、差込プラグに取り付けられた差込刃を確実に保持するようにコンセント内に設けた一対の刃受自身に弾性を持たせて差込刃を挟持するようにしている。
【０００４】
しかし、この差込プラグとコンセントの確実な連結は接続不良を回避できるが、反対に差込プラグの離脱を煩わしくすることになる。すなわち、差込プラグの離脱の際には、一方の手で差込プラグの本体を持ち、他方の手でコンセントを持ちながら力を込めて差込プラグをコンセントから引き抜いている。
【０００５】
このため、以前から差込プラグの離脱を容易にするために多くの構造が考えられた。そのひとつの方法として、差込プラグを構成する絶縁性外装体に指を挿入する穴をあけ、この穴に指を入れて引き抜く構造が提案された。（特許文献１、特許文献２）。
【０００６】
この構成は、差込プラグの成型時に穴を設けることができるため、構造が簡単になる反面、長期間の使用に伴って穴が大きくなって引き抜き時のストロークが長くなり大きな手の動きが必要となる。また、穴を形成する縁部分が切れて引き抜きができなくなる。このために外装体の材料の選択を慎重に行う必要があるが、経年変化に対応させることは困難であった。
【０００７】
他のひとつの方法として、てこの原理を利用して差込プラグをコンセントから引き離す構造が提案された。（特許文献３、特許文献４、特許文献５）。
【０００８】
この構成は、差込刃を固定する外装体の側面に軸（ピン）で回動自在に軸支した「くの字形状」のアームやレバーを設け、差込プラグの離脱時には、指によって前記アーム（レバー）の一端を移動させて該アームを回動させ、その街道に伴ってアームの他端をコンセントの外装体に当て差込刃を刃受から引き抜くようにしている。
【０００９】
この構成は、外装体にアームやレバーを回動自在に軸支する必要があり、アームやレバーの別部材が必要になるとともに組み立て作業が面倒になる。特に、このように外装体の外側に回動する別部材を設けることは、通常の使用状態に於いて、衣類や布団等の他の物品がアームにひっかかり衣類や布団が破れることや、不意に差込プラグがコンセントから外れる欠点があった。
【先行技術文献】
【特許文献】
【００１０】
【特許文献１】特開平１１−２６０４７８号公報
【００１１】
【特許文献２】登録実用新案公報  第３００４６００号
【００１２】
【特許文献３】特開平９−６３６９３号公報
【００１３】
【特許文献４】特開平９−２９３５６３号公報
【００１４】
【特許文献５】特開平１０−１４４３９４号公報
【発明の概要】
【発明が解決しようとする課題】
【００１５】
そして、何よりも前述の各特許文献が共通する欠点は、差込プラグを離脱する際に、必ず両手を必要とすること、すなわち、一方の手で差込プラグを持ち他方の手でコンセントを持って引き抜き作業を行うこととなる。さらに、前述したように差込プラグの離脱を行うにはそれなりに大きな力が必要となることである。
【００１６】
前者の場合は、差込プラグの離脱作業そのものは健常者にとって何の不具合もないが、両手が使えても力が出ない老人には大変面倒であった。特に、一方の手が不自由な障害者においては、コンセントを持つことができず非常に負担のかかる作業となり、
【００１７】
後者の場合は、いくらアームやレバーを使用しているといえども差込プラグをコンセントから確実に離脱するには異方向に働く複雑な手の動きが必要となる。すなわち、差込プラグを持つ手は、アームやレバーを回動させて差込プラグをコンセントから若干引き抜く動作を行い、その後に外装体を持つ手の位置を変えてアームやレバーを回動する方向とは異なる方向の力で差込プラグをコンセントから引き抜く動作が必要なる。
【課題を解決するための手段】
【００１８】
本発明は、電源コードを導出する外装体内に、前記電源コードに接続した一対の差込刃と、前記差込刃間の中心を軸として回動自在に設けた回転摺動装置とを備え、前記外装体を回転し、てこの利用によって差込刃の着脱を行なうものである。
【００１９】
本発明は、前記回転摺動装置は、前記差込刃の回転角度を１８０度に設定したものである。
【００２０】
本発明は、前記外装体は電源コードを導出する把持部と該把持部よりも大径の押当部を一体形成した絶縁性材料から構成し、前記回転摺動装置は押当部内に回動自在に軸支して設けられ、前記差込刃をコンセントに接続するものであって、前記押当部の平面形状を前記把持部よりも長寸の矩形形状に設定したものである。
【００２１】
本発明は、前記押当部は、前記差込刃の回動時における一対の差込刃の全体を収納する格納室を備えたものである。
【００２２】
本発明は、前記押当部は、その長手方向の少なくとも一側に開口部を設けたものである。
【００２３】
本発明は、前記押当部は、長方形の矩形形状とし、少なくともその短辺側の下端縁のエッジを円滑面としたものである。
【発明の効果】
【００２４】
本発明の差込プラグは、外装体に何ら別部材を設ける必要がなく、一方の手だけでも簡単に、プラグ本体の差込刃を離脱することができる。
【００２５】
そして、プラグ本体の差込刃とコンセントの刃受を強固、且つ確実に連結接続を行ない接続不良やこれから起因する発熱を未然に防止しながらも、てこの利用により、プラグ本体とコンセントを持つ力が弱くても、また一方の手で差込プラグを持ってプラグ本体の一側を引き起こすだけで簡単にプラグ本体の離脱（取り外し）を行うことができる。
【００２６】
また、前記回転摺動装置は、差込刃の回転角度を１８０度に設定したものであるから、プラグ本体を持つ手が右手、左手のいずれであってもプラグ本体の一側を引き起こすだけで簡単にプラグ本体の離脱（取り外し）を行うことができる。
【００２７】
さらに、前記差込刃の回動時には、その一対の差込刃の全体を押当部内に収納する格納室を備えたものであるから、コンセントへの連結を行っていない場合には、外力から差込刃を保護することができるともに、差込刃の先端が手に触れて怪我をするのを防止できる。
【００２８】
また、押当部の一側に開口部を設けており、この開口部から差込刃を引き出して回動し、コンセントへの連結接続を行うことができるため、他の器具等を必要としない。
【００２９】
加えて、本発明は、前記押当部は、長方形の矩形形状とし、少なくともその短辺側の下端縁のエッジを円滑面としたものであるから、差込プラグの引き抜き時にエッジの円滑面が程よくコンセントのケースにあたり回動がスムースになる。
【図面の簡単な説明】
【００３０】
【図１】本発明の差込プラグと一般のコンセント（テーブルタップ）を連結接続した断面図である。
【図２】同じく差込プラグの取り外し（離脱）動作を示す説明図である。
【図３】同じく差込プラグの側面部分断面図である。
【図４】同じく差込プラグの回転摺動装置の分解斜視図である。
【図５】同じく差込プラグの回転摺動装置の側面図である。
【図６】同じく差込プラグの使用例を示す説明図である。
【発明を実施するための形態】
【００３１】
１はプラグ本体で、絶縁性材料（樹脂）により成型した外装体２と、該外装体の上部に一体成型した把持部３と、前記外装体と一体成型し前記把持部よりも下方にあってコンセント側に接近する押当部４と、該押当部内に並行して配設し上部に軸孔５、５を設けた摺動板６、６（図４参照）を形成した一対の差込刃７、７と、該差込刃間の中心を回動自在に軸支する回転摺動装置８とから構成している。この回転摺動装置８は、前記差込刃７、７の回転角度を１８０度に設定している。
【００３２】
図１に示すコンセント９は  、一側に差込プラグ（図示せず）を設け他側にコンセントを有した一般のテーブルタップで代表されるものであり、内部には差込刃７、７を連結接続する一対の刃受１０、１０を備えており、この刃受１０、１０は、電源コード１１に接続したＵ字型の金属部材自体に弾性を保持させ、差込刃の差込時における接続を確実なものになるように構成されている。
【００３３】
前記把持部３は、外装体のほぼ中央付近にあって上方に突出して成型されており、上部の一側には引掛け孔１２を設け、前記押当部４と繋がる領域には差込プラグ本体１の引き抜き等を容易にする括れ１３を形成し、中央部からは電源コード１４を導出している。一方、前記押当部４は、図３に示すように前記把持部３を中央に配置して横長（左右）に広がった矩形を呈し、短辺側４Ａの下端縁のエッジを円滑面Ｓとしており、長辺側４Ｂ、４Ｂの長さは、差込刃７、７を回動した時にその全体を収納する程度であって、且つ差込プラグをコンセント９から取り外す（離脱）際に、てこの原理を十分に利用できる長さに設定している。
【００３４】
つまり、差込プラグ本体１を取り外す際に、押当部４の一側をコンセントに当てて差込プラグ本体１を回動させると、その回動角が小さくても差込刃７、７がコンセント９の刃受１０、１０から外れるか、もしくは刃受７、７が差込刃を弾性挟持する力が弱くなった位置を脱した位置まで引き上げるだけの移動距離を確保している。
【００３５】
一方、短辺４Ａの長さは、特に制限はないが、少なくとも回転摺動装置８を収納できて、コンセント９に連結接続する他の差込プラグに接触しない程度のサイズに設定している。
【００３６】
さらに、前記押当部４は、図１〜図３に示すように内部に格納室１５を設けており、この格納室には、詳細には図３に示すように、両側壁に開口部１６、１６を設けている。前記格納室には、差込プラグ本体１をコンセント９に連結接続しないような状態にあるときに差込刃７、７を回動して収納する。また、前記開口部１６、１６は格納室１５の両側壁に設けたが少なくとも側壁の少なくとも一側に設ければよい。
【００３７】
そして、前記開口部１６、１６は、差込プラグ本体１をコンセント９に連結接続するようなときに指の爪等をその開口部に入れて差込刃７、７を回動しながら引き出すようにしたものであり、この回動により差込刃が把持部３と同じ鉛直方向に起立し、コンセント９の刃受１０、１０との連結接続に備える。
【００３８】
さらに、前記押当部４は、コンセント９との連結接続時にコンセント側に接近する短辺側の下端縁のエッジをなくすべく円滑面Ｓとしている。
これは、差込プラグ本体１の回動時に、コンセントの表面に傷をつけないこと、及び押当部の短辺の下端縁がコンセントの表面に摺れて差込プラグの回動をスムースにすることにある。
【００３９】
次に、図４、図５に基づいて前記回転摺動装置８を詳細に説明する。前記格納室１５内には、軸孔１７により回動自在に軸支した絶縁材料よりなる回転子  １８０と、この回転子の両側面にそれぞれを絶縁状態で添着して設けられ前記電源コード１４のそれぞれの異極をスポット溶接して接続する接続端子１８、１８を有する２枚の摺動子１９、１９と、前記差込刃の前記摺動板６、６とから構成している。
【００４０】
図６は、コンセントが垂直の壁の比較的上方に取り付けられた状態にあって、使用者の手が届かないような高さにある時の使用状態を表している。この図では、引掛け孔１２に紐２０の端を結びその反対側の端を垂らしている。ただし、差込プラグ本体１の一対の差込刃７、７は上下方向に並ぶようにしてコンセントの刃受１０、１０に連結接続する。これにより、差込プラグ本体１を引き抜く場合は、紐２０の端を下に引き下げると容易にコンセントから外れる。
【００４１】
本発明は、差込プラグを連結接続する前記コンセントとして、テーブルタップタイプのコンセントを例示したが、家庭の壁材に埋設されているコンセントであってもよい。
【産業上の利用可能性】
【００４２】
本発明は、電源コードの取り付けた差込プラグの改良にかかり、一般家庭の壁コンセントや所謂テーブルタップに取り付けたコンセントに連結接続するものである。
【符号の説明】
【００４３】
１  プラグ本体  
２  外装体  
３  把持部  
４  押当部  
７、７  差込刃  
８  回転摺動装置
９  コンセント  
１０、１０  刃受
１２  引掛け孔
１４  電源コード
１５  格納室
１６、１６  開口部
４Ａ  短辺側
４Ｂ  長辺側
Ｓ  円滑面  
【図１】
2011100636.tif 000003
【図２】
2011100636.tif 000004
【図３】
2011100636.tif 000005
【図４】
2011100636.tif 000006
【図５】
2011100636.tif 000007
【図６】
2011100636.tif 000008
【手続補正書】
【提出日】平成22年3月24日(2010.3.24)
【手続補正１】
【補正対象書類名】明細書
【補正対象項目名】全文
【補正方法】変更
【補正の内容】
【発明の詳細な説明】
【技術分野】
【０００１】
本発明は、一般家庭用の壁に埋設されたコンセントやテーブルタップのコンセントに差し込んで接続する差込プラグに関する。
【背景技術】
【０００２】
一般に家庭用として使用される差込プラグは、一端を電気器具等に連結した電源コードの他端に設けたもの、一端にコンセントを連結した電源コードの他端に設けたものが知られている。そして、この差込プラグは、一般家庭用の壁に埋設されたコンセントやテーブルタップのコンセントに差し込んで電気器具等に交流電源を印加し、あるいはテーブルタップのコンセントに交流電源を供給する。
【０００３】
また、この差込プラグとコンセントとの連結（接続）は、差込プラグに取り付けられた差込刃を確実に保持するようにコンセント内に設けた一対の刃受自身に弾性を持たせて差込刃を挟持するようにしている。
【０００４】
しかし、この差込プラグとコンセントの確実な連結は接続不良を回避できるが、反対に差込プラグの離脱を煩わしくすることになる。すなわち、差込プラグの離脱の際には、一方の手で差込プラグの本体を持ち、他方の手でコンセントを持ちながら力を込めて差込プラグをコンセントから引き抜いている。
【０００５】
このため、以前から差込プラグの離脱を容易にするために多くの構造が考えられた。そのひとつの方法として、差込プラグを構成する絶縁性外装体に指を挿入する穴をあけ、この穴に指を入れて引き抜く構造が提案された。（特許文献１、特許文献２）。
【０００６】
この構成は、差込プラグの成型時に穴を設けることができるため、構造が簡単になる反面、長期間の使用に伴って穴が大きくなって引き抜き時のストロークが長くなり大きな手の動きが必要となる。また、穴を形成する縁部分が切れて引き抜きができなくなる。このために外装体の材料の選択を慎重に行う必要があるが、経年変化に対応させることは困難であった。
【０００７】
他のひとつの方法として、てこの原理を利用して差込プラグをコンセントから引き離す構造が提案された。（特許文献３、特許文献４、特許文献５）。
【０００８】
この構成は、差込刃を固定する外装体の側面に軸（ピン）で回動自在に軸支した「くの字形状」のアームやレバーを設け、差込プラグの離脱時には、指によって前記アーム（レバー）の一端を移動させて該アームを回動させ、その街道に伴ってアームの他端をコンセントの外装体に当て差込刃を刃受から引き抜くようにしている。
【０００９】
この構成は、外装体にアームやレバーを回動自在に軸支する必要があり、アームやレバーの別部材が必要になるとともに組み立て作業が面倒になる。特に、このように外装体の外側に回動する別部材を設けることは、通常の使用状態に於いて、衣類や布団等の他の物品がアームにひっかかり衣類や布団が破れることや、不意に差込プラグがコンセントから外れる欠点があった。
【先行技術文献】
【特許文献】
【００１０】
【特許文献１】特開平１１−２６０４７８号公報
【００１１】
【特許文献２】登録実用新案公報  第３００４６００号
【００１２】
【特許文献３】特開平９−６３６９３号公報
【００１３】
【特許文献４】特開平９−２９３５６３号公報
【００１４】
【特許文献５】特開平１０−１４４３９４号公報
【発明の概要】
【発明が解決しようとする課題】
【００１５】
そして、何よりも前述の各特許文献が共通する欠点は、差込プラグを離脱する際に、必ず両手を必要とすること、すなわち、一方の手で差込プラグを持ち他方の手でコンセントを持って引き抜き作業を行うこととなる。さらに、前述したように差込プラグの離脱を行うにはそれなりに大きな力が必要となることである。
【００１６】
前者の場合は、差込プラグの離脱作業そのものは健常者にとって何の不具合もないが、両手が使えても力が出ない老人には大変面倒であった。特に、一方の手が不自由な障害者においては、コンセントを持つことができず非常に負担のかかる作業となる。
【００１７】
後者の場合は、いくらアームやレバーを使用しているといえども差込プラグをコンセントから確実に離脱するには異方向に働く複雑な手の動きが必要となる。すなわち、差込プラグを持つ手は、アームやレバーを回動させて差込プラグをコンセントから若干引き抜く動作を行い、その後に外装体を持つ手の位置を変えてアームやレバーを回動する方向とは異なる方向の力で差込プラグをコンセントから引き抜く動作が必要なる。
【課題を解決するための手段】
【００１８】
本発明は、電源コードを導出する把持部を中央に配置して横長に広がった矩形を呈する前記把持部よりも長寸の矩形形状に設定した大径の押当部を一体形成した絶縁性材料からなる外装体と、前記電源コードに接続されておりコンセントへの着脱を行なう一対の差込刃と、前記押当部内に軸支して設けられ、前記差込刃間の中心を軸とし該差込刃の回転角度を１８０度の範囲で回動自在とし、前記押当部の下端縁をコンセントに当て、てこの利用によって前記差込刃をコンセントから離脱する回転摺動装置とを備え、前記押当部は、一対の差込刃が左右いずれの方向に１８０度回転しても該差込刃の全体を収納する長寸の格納室を設けたものである。
【００１９】
また、前記格納室は、その長手方向の少なくとも一側に開口部を設けたものである。
【００２０】
そして、前記把持部の上部に紐の引掛け孔を設けたものである。
【発明の効果】
【００２１】
本発明の差込プラグは、外装体に何ら別部材を設ける必要がなく、左右のいずれかの一方の手だけで簡単に、プラグ本体の差込刃を離脱し、且つ離脱後の差込プラグによる怪我を防止することができる。
【００２２】
すなわち、コンセントに接続した差込プラグを左右のどの方向に離脱する場合においても押当部をコンセントに当て、てこの利用により簡単に所望の方向に離脱することができる。このことは、コンセントがどのような位置にあるか、すなわち、所謂テーブルタップタイプのコンセントで、そのコンセントは部屋内のどのような位置で差込プラグが接続されているか、コンセントに接続された差込プラグを離脱するには左右のどの方向に空間があるか、使用者の利き手はどちらか、また、使用者に手に障害がある場合などの種々の要素により差込プラグの回動方向が選択できる。
【００２３】
前述した差込プラグによる怪我を防止は、押当部に、一対の差込刃が左右いずれの方向に１８０度回転しても該差込刃の全体を収納する長寸の格納室を設けたことにより得られたものであり、離脱時の差込プラグを不意に踏みつけたことにより差込刃で怪我をするのを未然に防止し安全性を確保できる。
【００２４】
前記格納室の長手方向の少なくとも一側に開口部を設けたことにより、差込プラグの使用時には、開口部から指先等を格納室に入れて収納状態にある差込刃を引き出しコンセントへの接続に備えることができる。
【００２５】
そして、前記把持部の上部に紐の引掛け孔を設けたものであるから、
差込プラグが垂直の壁の比較的上方に取り付けられた状態にあるコンセントに接続されたものであっても紐を引くことによって、てこの作用（利用）により差込プラグを容易にコンセントから外すことができる。
【図面の簡単な説明】
【００２６】
【図１】本発明の差込プラグと一般のコンセント（テーブルタップ）を連結接続した    断面図である。
【図２】同じく差込プラグの取り外し（離脱）動作を示す説明図である。
【図３】同じく差込プラグの側面部分断面図である。
【図４】同じく差込プラグの回転摺動装置の分解斜視図である。
【図５】同じく差込プラグの回転摺動装置の側面図である。
【図６】同じく差込プラグの使用例を示す説明図である。
【発明を実施するための形態】
【００２７】
１はプラグ本体で、絶縁性材料（樹脂）により成型した外装体２と、該外装体の上部に一体成型した把持部３と、前記外装体と一体成型し前記把持部よりも下方にあってコンセント側に接近する押当部４と、該押当部内に並行して配設し上部に軸孔５、５を設けた摺動板６、６（図４参照）を形成した一対の差込刃７、７と、該差込刃間の中心を回動自在に軸支する回転摺動装置８とから構成している。この回転摺動装置８は、前記差込刃７、７の回転角度を１８０度に設定している。
【００２８】
図１に示すコンセント９は  、一側に差込プラグ（図示せず）を設け他側にコンセントを有した一般のテーブルタップで代表されるものであり、内部には差込刃７、７を連結接続する一対の刃受１０、１０を備えており、この刃受１０、１０は、電源コード１１に接続したＵ字型の金属部材自体に弾性を保持させ、差込刃の差込時における接続を確実なものになるように構成されている。
【００２９】
前記把持部３は、外装体のほぼ中央付近にあって上方に突出して成型されており、上部の一側には引掛け孔１２を設け、前記押当部４と繋がる領域には差込プラグ本体１の引き抜き等を容易にする括れ１３を形成し、中央部からは電源コード１４を導出している。一方、前記押当部４は、図３に示すように前記把持部３を中央に配置して横長（左右）に広がった矩形を呈し、短辺側４Ａの下端縁のエッジを円滑面Ｓとしており、長辺側４Ｂ、４Ｂの長さは、差込刃７、７を回動した時にその全体を収納する程度であって、且つ差込プラグをコンセント９から取り外す（離脱）際に、てこの原理を十分に利用できる長さに設定
している。
【００３０】
つまり、差込プラグ本体１を取り外す際に、押当部４の一側をコンセントに当てて差込プラグ本体１を回動させると、その回動角が小さくても差込刃７、７がコンセント９の刃受１０、１０から外れるか、もしくは刃受７、７が差込刃を弾性挟持する力が弱くなった位置を脱した位置まで引き上げるだけの移動距離を確保している。
【００３１】
一方、短辺４Ａの長さは、特に制限はないが、少なくとも回転摺動装置８を収納できて、コンセント９に連結接続する他の差込プラグに接触しない程度のサイズに設定している。
【００３２】
さらに、前記押当部４は、図１〜図３に示すように内部に格納室１５を設けており、この格納室には、詳細には図３に示すように、両側壁に開口部１６、１６を設けている。前記格納室には、差込プラグ本体１をコンセント９に連結接続しないような状態にあるときに差込刃７、７を回動して収納する。また、前記開口部１６、１６は格納室１５の両側壁に設けたが少なくとも側壁の少なくとも一側に設ければよい。
【００３３】
そして、前記開口部１６、１６は、差込プラグ本体１をコンセント９に連結接続するようなときに指の爪等をその開口部に入れて差込刃７、７を回動しながら引き出すようにしたものであり、この回動により差込刃が把持部３と同じ鉛直方向に起立し、コンセント９の刃受１０、１０との連結接続に備える。
【００３４】
さらに、前記押当部４は、コンセント９との連結接続時にコンセント側に接近する短辺側の下端縁のエッジをなくすべく円滑面Ｓとしている。
これは、差込プラグ本体１の回動時に、コンセントの表面に傷をつけないこと、及び押当部の短辺の下端縁がコンセントの表面に摺れて差込プラグの回動をスムースにすることにある。
【００３５】
次に、図４、図５に基づいて前記回転摺動装置８を詳細に説明する。前記格納室１５内には、軸孔１７により回動自在に軸支した絶縁材料よりなる回転子  １８０と、この回転子の両側面にそれぞれを絶縁状態で添着して設けられ前記電源コード１４のそれぞれの異極をスポット溶接して接続する接続端子１８、１８を有する２枚の摺動子１９、１９と、前記差込刃の前記摺動板６、６とから構成している。
【００３６】
図６は、コンセントが垂直の壁の比較的上方に取り付けられた状態にあって、使用者の手が届かないような高さにある時の使用状態を表している。この図では、引掛け孔１２に紐２０の端を結びその反対側の端を垂らしている。ただし、差込プラグ本体１の一対の差込刃７、７は上下方向に並ぶようにしてコンセントの刃受１０、１０に連結接続する。これにより、差込プラグ本体１を引き抜く場合は、紐２０の端を下に引き下げると容易にコンセントから外れる。
【００３７】
本発明は、差込プラグを連結接続する前記コンセントとして、テーブルタップタイプのコンセントを例示したが、家庭の壁材に埋設されているコンセントであってもよい。
【産業上の利用可能性】
【００３８】
本発明は、電源コードの取り付けた差込プラグの改良にかかり、一般家庭の壁コンセントや所謂テーブルタップに取り付けたコンセントに連結接続するものである。
【符号の説明】
【００３９】
１  プラグ本体  
２  外装体  
３  把持部  
４  押当部  
７、７  差込刃  
８  回転摺動装置
９  コンセント  
１０、１０  刃受
１２  引掛け孔
１４  電源コード
１５  格納室
１６、１６  開口部
４Ａ  短辺側
４Ｂ  長辺側
Ｓ  円滑面  
【手続補正２】
【補正対象書類名】特許請求の範囲
【補正対象項目名】全文
【補正方法】変更
【補正の内容】
【特許請求の範囲】
【請求項１】
電源コードを導出する把持部を中央に配置して横長に広がった矩形を呈する前記把持部よりも長寸の矩形形状に設定した大径の押当部を一体形成した絶縁性材料からなる外装体と、前記電源コードに接続されておりコンセントへの着脱を行なう一対の差込刃と、前記押当部内に軸支して設けられ、前記差込刃間の中心を軸とし該差込刃の回転角度を１８０度の範囲で回動自在とし、前記押当部の下端縁をコンセントに当て、てこの利用によって前記差込刃をコンセントから離脱する回転摺動装置とを備え、前記押当部は、一対の差込刃が左右いずれの方向に１８０度回転しても該差込刃の全体を収納する長寸の格納室を設けたことを特徴とする差込プラグ。
【請求項２】
前記格納室は、その長手方向の少なくとも一側に開口部を設けたことを特徴とする請求項１に記載の差込プラグ。
【請求項３】
前記把持部の上部に紐の引掛け孔を設けたことを特徴とする請求項１に記載の差込プラグ。